(57)【特許請求の範囲】
【請求項１】
蓄電池を備えており前記蓄電池に蓄えられた電気エネルギーを用いて走行可能な車両と
通信可能な電力消費管理装置であって、
節電要請側からの節電要請を示す節電要請情報を取得する要請側取得部と、
前記要請側取得部によって前記節電要請情報が取得されると、前記車両における電力消
費の抑制を要求するための要求情報を前記車両に通知する通知部と、
前記通知部によって通知された前記要求情報に対する前記車両からの応答情報を取得す
る車両側取得部と、
前記車両側取得部によって前記応答情報が取得されると、前記要請側取得部によって取
得された前記節電要請情報に対する報告情報であって、前記車両の個別情報を含まない報
告情報を前記節電要請側に通知する報告部とを備える、電力消費管理装置。
【請求項２】
前記通知部は、複数の前記車両に前記要求情報を通知し、
前記応答情報は、前記車両の節電内容を含み、
前記報告部は、前記車両側取得部によって取得された各前記車両からの前記応答情報の
示す前記節電内容をまとめた節電内容を示す前記報告情報を前記節電要請側に通知する、
請求項１に記載の電力消費管理装置。
【請求項３】
前記車両に通知される要求情報は節電期間を含み、
前記車両からの前記応答情報は、前記節電期間における前記車両の位置を含み、
前記報告部は、前記位置を含まない前記報告情報を前記節電要請側に通知する、請求項
１または請求項２に記載の電力消費管理装置。
【請求項４】
前記通知部は、複数の前記車両に前記要求情報を通知し、
前記報告部は、前記車両側取得部によって取得された各前記車両からの前記応答情報の
示す前記節電内容を所定の区域ごとにまとめた節電内容を示す前記報告情報を前記節電要
請側に通知する、請求項２に記載の電力消費管理装置。
【請求項５】
蓄電池を備えており前記蓄電池に蓄えられた電気エネルギーを用いて走行可能な車両と
通信可能な電力消費管理装置における電力消費管理方法であって、
節電要請側からの節電要請を示す節電要請情報を取得するステップと、
前記節電要請情報を取得すると、前記車両における電力消費の抑制を要求するための要
求情報を前記車両に通知するステップと、
通知した前記要求情報に対する前記車両からの応答情報を取得するステップと、
前記応答情報を取得すると、取得した前記節電要請情報に対する報告情報であって、前
記車両の個別情報を含まない報告情報を前記節電要請側に通知するステップとを含む、電
力消費管理方法。
【請求項６】
蓄電池を備えており前記蓄電池に蓄えられた電気エネルギーを用いて走行可能な車両と
通信可能な電力消費管理装置において用いられる電力消費管理プログラムであって、コン
ピュータに、
節電要請側からの節電要請を示す節電要請情報を取得するステップと、
前記節電要請情報を取得すると、前記車両における電力消費の抑制を要求するための要
求情報を前記車両に通知するステップと、
通知した前記要求情報に対する前記車両からの応答情報を取得するステップと、
前記応答情報を取得すると、取得した前記節電要請情報に対する報告情報であって、前
記車両の個別情報を含まない報告情報を前記節電要請側に通知するステップとを実行させ
るための、電力消費管理プログラム。
【発明の詳細な説明】
【技術分野】
【０００１】
本発明は、電力消費管理装置、電力消費管理方法および電力消費管理プログラムに関し、特に、車両に節電を要請する電力消費管理装置、電力消費管理方法および電力消費管理プログラムに関する。
【背景技術】
【０００２】
電気自動車およびハイブリッド自動車等に搭載されたバッテリへの給電を行なうシステムとして、たとえば、特許文献１（特開２０１３−１６９８６９号公報）には、以下のような技術が開示されている。すなわち、蓄電部および通信部を備える車両と、前記蓄電部に対する給電に関する給電情報の通信を行なう通信装置との通信を中継する中継装置を備える通信システムにおいて、前記中継装置は、前記車両と第１方式で給電情報の通信を行なう手段と、前記通信装置と、第１方式と異なる第２方式で給電情報の通信を行なう手段と、第１方式および第２方式の一方の方式で受信した給電情報に基づいて、他方の方式で送信すべき給電情報を生成する手段とを備える。
【先行技術文献】
【特許文献】
【０００３】
【特許文献１】特開２０１３−１６９８６９号公報
【発明の概要】
【発明が解決しようとする課題】
【０００４】
電気自動車およびハイブリッド自動車等の充電対象車両の普及に伴い、充電対象車両を充電するために使用される電力が増大することが想定される。
【０００５】
このような状況において、たとえば電力需給が逼迫することが予想される場合、電力消費が抑制されるように、充電対象車両に対して予め節電要請を行なうことが考えられる。
【０００６】
このように充電対象車両に対して予め節電要請を行なうシステムとして、優れたシステムを提供可能とする技術が望まれる。
【０００７】
この発明は、上述の課題を解決するためになされたもので、その目的は、充電対象車両に対して予め節電要請を行なうシステムとして、優れたシステムを提供することが可能な電力消費管理装置、電力消費管理方法および電力消費管理プログラムを提供することである。
【課題を解決するための手段】
【０００８】
（１）上記課題を解決するために、この発明のある局面に係わる電力消費管理装置は、蓄電池を備えており前記蓄電池に蓄えられた電気エネルギーを用いて走行可能な車両と通信可能な電力消費管理装置であって、節電要請側からの節電要請を示す節電要請情報を取得する要請側取得部と、前記要請側取得部によって前記節電要請情報が取得されると、前記車両における電力消費の抑制を要求するための要求情報を前記車両に通知する通知部と、前記通知部によって通知された前記要求情報に対する前記車両からの応答情報を取得する車両側取得部と、前記車両側取得部によって前記応答情報が取得されると、前記要請側取得部によって取得された前記節電要請情報に対する報告情報であって、前記車両の個別情報を含まない報告情報を前記節電要請側に通知する報告部とを備える。
【０００９】
（５）上記課題を解決するために、この発明のある局面に係わる電力消費管理方法は、蓄電池を備えており前記蓄電池に蓄えられた電気エネルギーを用いて走行可能な車両と通信可能な電力消費管理装置における電力消費管理方法であって、節電要請側からの節電要請を示す節電要請情報を取得するステップと、前記節電要請情報を取得すると、前記車両における電力消費の抑制を要求するための要求情報を前記車両に通知するステップと、通知した前記要求情報に対する前記車両からの応答情報を取得するステップと、前記応答情報を取得すると、取得した前記節電要請情報に対する報告情報であって、前記車両の個別情報を含まない報告情報を前記節電要請側に通知するステップとを含む。
【００１０】
（６）上記課題を解決するために、この発明のある局面に係わる電力消費管理方法は、蓄電池を備えており前記蓄電池に蓄えられた電気エネルギーを用いて走行可能な車両と通信可能な電力消費管理装置において用いられる電力消費管理プログラムであって、コンピュータに、節電要請側からの節電要請を示す節電要請情報を取得するステップと、前記節電要請情報を取得すると、前記車両における電力消費の抑制を要求するための要求情報を前記車両に通知するステップと、通知した前記要求情報に対する前記車両からの応答情報を取得するステップと、前記応答情報を取得すると、取得した前記節電要請情報に対する報告情報であって、前記車両の個別情報を含まない報告情報を前記節電要請側に通知するステップとを実行させるためのプログラムである。
【００１１】
また、本発明は、このような特徴的な処理部を備える電力消費管理装置として実現できるだけでなく、電力消費管理装置の一部または全部を実現する半導体集積回路として実現したり、電力消費管理装置を含む電力消費管理システムとして実現したりすることができる。
【発明の効果】
【００１２】
本発明によれば、充電対象車両に対して予め節電要請を行なうシステムとして、優れたシステムを提供することができる。
【図面の簡単な説明】
【００１３】
【図１】図１は、本発明の実施の形態に係る電力消費管理システムの構成を示す図である。
【図２】図２は、本発明の実施の形態に係る電力消費管理装置の構成を示す図である。
【図３】図３は、本発明の実施の形態に係る電力消費管理システムにおける車両電力消費情報の一例を示す図である。
【図４】図４は、本発明の実施の形態に係る電力消費管理システムにおける要求情報の一例を示す図である。
【図５】図５は、本発明の実施の形態に係る電力消費管理システムにおける応答情報の一例を示す図である。
【図６】図６は、本発明の実施の形態に係る電力消費管理システムにおける報告情報の一例を示す図である。
【図７】図７は、本発明の実施の形態に係る電力消費管理装置による節電要請情報の処理の手順を定めたフローチャートである。
【図８】図８は、本発明の実施の形態に係る電力消費管理システムにおける電力消費の抑制処理のシーケンスの一例を示す図である。
【発明を実施するための形態】
【００１４】
最初に、本発明の実施形態の内容を列記して説明する。
【００１５】
（１）本発明の実施の形態に係る電力消費管理装置は、蓄電池を備えており前記蓄電池に蓄えられた電気エネルギーを用いて走行可能な車両と通信可能な電力消費管理装置であって、節電要請側からの節電要請を示す節電要請情報を取得する要請側取得部と、前記要請側取得部によって前記節電要請情報が取得されると、前記車両における電力消費の抑制を要求するための要求情報を前記車両に通知する通知部と、前記通知部によって通知された前記要求情報に対する前記車両からの応答情報を取得する車両側取得部と、前記車両側取得部によって前記応答情報が取得されると、前記要請側取得部によって取得された前記節電要請情報に対する報告情報であって、前記車両の個別情報を含まない報告情報を前記節電要請側に通知する報告部とを備える。
【００１６】
このような構成により、電力消費管理装置から要請側管理装置へ提供される情報に、充電対象車両の個別情報、たとえば充電対象車両のユーザの個人情報、充電対象車両の車種、および充電対象車両の充電に関する情報等が含まれることを防ぐことができる。すなわち、充電対象車両の個別情報を特定できないような報告情報を作成することにより、充電対象車両に関する秘密保持を行いながら、必要な情報を節電要請側に伝えることができる。すなわち、電力消費管理装置を運用する自動車会社等の事業者から要請側管理装置を運用する電力会社等へ、充電対象車両の個別情報を開示することなく、電力会社等からの節電要請を達成するとともに充電対象車両の節電に関する報告を行なうことができる。したがって、本発明の実施の形態に係る電力消費管理装置では、充電対象車両に対して予め節電要請を行なうシステムとして、優れたシステムを提供することができる。
【００１７】
（２）好ましくは、前記通知部は、複数の前記車両に前記要求情報を通知し、前記応答情報は、前記車両の節電内容を含み、前記報告部は、前記車両側取得部によって取得された各前記車両からの前記応答情報の示す前記節電内容をまとめた節電内容を示す前記報告情報を前記節電要請側に通知する。
【００１８】
このような構成により、複数の充電対象車両に対して節電要請を行なった場合に、充電対象車両に関する秘密保持を行いながら、電力消費管理装置において節電予想量を集約して節電要請側に通知することができる。
【００１９】
（３）好ましくは、前記車両に通知される要求情報は節電期間を含み、前記車両からの前記応答情報は、前記節電期間における前記車両の位置を含み、前記報告部は、前記位置を含まない前記報告情報を前記節電要請側に通知する。
【００２０】
このような構成により、電力消費管理装置から要請側管理装置に通知される情報に、充電対象車両の個別情報として充電対象車両の駐車場所および走行経路の情報等が含まれることを防ぐことができる。
【００２１】
（４）より好ましくは、前記通知部は、複数の前記車両に前記要求情報を通知し、前記報告部は、前記車両側取得部によって取得された各前記車両からの前記応答情報の示す前記節電内容を所定の区域ごとにまとめた節電内容を示す前記報告情報を前記節電要請側に通知する。
【００２２】
このような構成により、たとえば、充電対象車両の充電予定エリアの情報を用いて、節電要請側の発電エリア単位の節電予想量を節電要請側に通知することができる。
【００２３】
（５）本発明の実施の形態に係る電力消費管理方法は、蓄電池を備えており前記蓄電池に蓄えられた電気エネルギーを用いて走行可能な車両と通信可能な電力消費管理装置における電力消費管理方法であって、節電要請側からの節電要請を示す節電要請情報を取得するステップと、前記節電要請情報を取得すると、前記車両における電力消費の抑制を要求するための要求情報を前記車両に通知するステップと、通知した前記要求情報に対する前記車両からの応答情報を取得するステップと、前記応答情報を取得すると、取得した前記節電要請情報に対する報告情報であって、前記車両の個別情報を含まない報告情報を前記節電要請側に通知するステップとを含む。
【００２４】
このような構成により、電力消費管理装置から要請側管理装置へ提供される情報に、充電対象車両の個別情報、たとえば充電対象車両のユーザの個人情報、充電対象車両の車種、および充電対象車両の充電に関する情報等が含まれることを防ぐことができる。すなわち、充電対象車両の個別情報を特定できないような報告情報を作成することにより、充電対象車両に関する秘密保持を行いながら、必要な情報を節電要請側に伝えることができる。すなわち、電力消費管理装置を運用する自動車会社等の事業者から要請側管理装置を運用する電力会社等へ、充電対象車両の個別情報を開示することなく、電力会社等からの節電要請を達成するとともに充電対象車両の節電に関する報告を行なうことができる。したがって、本発明の実施の形態に係る電力消費管理装置では、充電対象車両に対して予め節電要請を行なうシステムとして、優れたシステムを提供することができる。
【００２５】
（６）本発明の実施の形態に係る電力消費管理方法は、蓄電池を備えており前記蓄電池に蓄えられた電気エネルギーを用いて走行可能な車両と通信可能な電力消費管理装置において用いられる電力消費管理プログラムであって、コンピュータに、節電要請側からの節電要請を示す節電要請情報を取得するステップと、前記節電要請情報を取得すると、前記車両における電力消費の抑制を要求するための要求情報を前記車両に通知するステップと、通知した前記要求情報に対する前記車両からの応答情報を取得するステップと、前記応答情報を取得すると、取得した前記節電要請情報に対する報告情報であって、前記車両の個別情報を含まない報告情報を前記節電要請側に通知するステップとを実行させるためのプログラムである。
【００２６】
このような構成により、電力消費管理装置から要請側管理装置へ提供される情報に、充電対象車両の個別情報、たとえば充電対象車両のユーザの個人情報、充電対象車両の車種、および充電対象車両の充電に関する情報等が含まれることを防ぐことができる。すなわち、充電対象車両の個別情報を特定できないような報告情報を作成することにより、充電対象車両に関する秘密保持を行いながら、必要な情報を節電要請側に伝えることができる。すなわち、電力消費管理装置を運用する自動車会社等の事業者から要請側管理装置を運用する電力会社等へ、充電対象車両の個別情報を開示することなく、電力会社等からの節電要請を達成するとともに充電対象車両の節電に関する報告を行なうことができる。したがって、本発明の実施の形態に係る電力消費管理装置では、充電対象車両に対して予め節電要請を行なうシステムとして、優れたシステムを提供することができる。
【００２７】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００２８】
［構成および基本動作］
図１は、本発明の実施の形態に係る電力消費管理システムの構成を示す図である。
【００２９】
図１を参照して、電力会社または系統運用会社等である節電要請側は、たとえば電力需給の逼迫が予想される期間を対象として、各種事業者に対して節電要請を行なう、具体的には、たとえば、各種事業者に対してデマンドレスポンス（ＤＲ：Ｄｅｍａｎｄ  Ｒｅｓｐｏｎｓｅ）等の節電要請を発行する。事業者は、節電要請側からの節電要請を受けて、１または複数の装置または施設等を管理する需要家に、たとえば当該期間を対象として節電要請を行なう。電力会社は、たとえば発電事業者または電力小売り事業者である。
【００３０】
需要家において節電要請側からの節電要請に従った節電が行われることにより、節電要請側は、たとえば、需要家における電力消費の削減の対価を事業者に与える、具体的には、節電に対するインセンティブすなわち節電要請の対象期間において節電が行われたことに対する報酬を事業者に与える。事業者は、節電要請側から得た節電の報酬を需要家に分配する。
【００３１】
電力消費管理システム３０１は、要請側管理装置２０１と、電力消費管理装置１０１と、１または複数の充電対象車両２０２とを備える。
【００３２】
充電対象車両２０２は、電気自動車およびハイブリッド自動車等であり、蓄電池を備え、当該蓄電池に蓄えられた電気エネルギーを用いて走行可能である。
【００３３】
電力消費管理装置１０１は、たとえば自動車会社によって運用され、１または複数の充電対象車両２０２と通信を行なうことにより、各充電対象車両２０２における電力消費を管理する。電力消費管理装置１０１の通信対象は、詳細には、たとえば充電対象車両２０２におけるナビゲーション装置等の車載装置である。
【００３４】
要請側管理装置２０１は、電力会社または系統運用会社等によって運用され、節電要請を示す節電要請情報を電力消費管理装置１０１へ送信する。節電要請情報は、たとえば、事業者が参加可能な節電イベントの内容を示す。
【００３５】
具体的には、節電要請情報は、節電イベントの内容として、たとえば、電力消費を抑制すべき節電期間を示す。
【００３６】
なお、節電要請情報は、節電期間において、電力消費管理装置１０１が削減すべき消費電力の目標である要請目標を示してもよい。また、節電要請情報は、節電イベントの対象エリアを示してもよい。また、節電要請情報は、さらに、時間ごとの電力料金の単価を示してもよい。また、要請目標は、削減すべき消費電力量であってもよいし、削減率または削減割合であってもよいし、消費電力量の上限値等であってもよい。
【００３７】
電力消費管理装置１０１は、要請側管理装置２０１から節電要請情報を受信して、充電対象車両２０２における電力消費の抑制を要求するための要求情報を作成し、作成した要求情報を配下の１または複数の充電対象車両２０２へ送信する。
【００３８】
要求情報は、たとえば、充電対象車両２０２が参加可能な節電イベントの内容を示す。具体的には、要求情報は、たとえば充電対象車両２０２において消費電力を削減すべき期間である節電期間を示す。
【００３９】
充電対象車両２０２は、電力消費管理装置１０１から受信した要求情報に基づいて、要求情報の示す節電イベントに充電対象車両２０２が参加すべきか否かを判断し、判断結果および自己の識別情報を示す応答情報を電力消費管理装置１０１へ送信する。
【００４０】
より詳細には、たとえば、充電対象車両２０２には、節電イベントへの参加基準に関する情報をユーザが設定可能である。充電対象車両２０２は、電力消費管理装置１０１から受信した要求情報の示す節電イベントが参加基準を満たす場合、当該節電イベントに参加すべきであると判断する。
【００４１】
なお、充電対象車両２０２は、節電イベントに参加すべきか否かを、ユーザからの指示に従って判断する構成であってもよい。
【００４２】
具体的には、たとえば、充電対象車両２０２は、電力消費管理装置１０１から要求情報を受信すると、ユーザのスマートフォン等の携帯端末へ当該要求情報の内容を送信する。ユーザは、充電対象車両２０２からの要求情報の内容を携帯端末のディスプレイ等で確認し、節電イベントに参加するか否かを携帯端末を用いて充電対象車両２０２に通知する。充電対象車両２０２は、ユーザからの通知に従って、節電イベントに参加すべきか否かを判断する。
【００４３】
あるいは、たとえば、充電対象車両２０２は、電力消費管理装置１０１から要求情報を受信すると、当該要求情報の内容を自己のナビゲーション装置等のディスプレイ等に表示する。ユーザは、当該ディスプレイの表示内容を確認し、節電イベントに参加するか否かを充電対象車両２０２のナビゲーション装置等へ入力する操作を行う。充電対象車両２０２は、ユーザの操作内容に従って、節電イベントに参加すべきか否かを判断する。なお、電力消費管理装置１０１からの要求情報の到着時にユーザが充電対象車両２０２に乗車していない場合には、ユーザの乗車後に当該ディスプレイの表示内容が確認され、節電イベントに参加すべきか否かの判断がなされることになる。
【００４４】
充電対象車両２０２は、たとえば、節電イベントに参加する旨を示す応答情報に、節電期間において自己の蓄電池への充電を中止する時間を含めて送信する。
【００４５】
電力消費管理装置１０１は、充電対象車両２０２から応答情報を受信して、節電要請情報に対する報告情報を要請側管理装置２０１に通知する。具体的には、たとえば、電力消費管理装置１０１は、各充電対象車両２０２から受信した応答情報に基づいて、節電期間において配下の各充電対象車両２０２で削減される予定の消費電力量の合計値を示す報告情報を作成し、要請側管理装置２０１へ送信する。
【００４６】
節電要請側は、事業者が節電イベントに参加した場合、たとえば事業者によって削減された消費電力に応じて事業者にインセンティブを与える。電力消費管理装置１０１は、与えられたインセンティブの内容を示すインセンティブ情報を要請側管理装置２０１から取得する。
【００４７】
電力消費管理装置１０１は、要請側管理装置２０１からのインセンティブ情報に基づいて、充電対象車両２０２における電力消費の削減の対価を示す対価情報を作成し、要求情報の送信先である充電対象車両２０２へ送信する。
【００４８】
対価情報は、たとえば、充電対象車両２０２が節電イベントに参加した場合に、たとえば充電対象車両２０２において削減された消費電力量に応じた、当該充電対象車両２０２に与えられる消費電力の削減の対価を示す。
【００４９】
なお、電力消費管理装置１０１は、要請側管理装置２０１、および各充電対象車両２０２と直接接続される構成に限らず、他の装置を介して接続される構成であってもよい。
【００５０】
図２は、本発明の実施の形態に係る電力消費管理装置の構成を示す図である。
【００５１】
図２を参照して、電力消費管理装置１０１は、要請側取得部１１と、通知部１２と、車両側取得部１３と、報告部１４と、記憶部１５と、ユーザ情報作成部１６とを含む。なお、記憶部１５が、電力消費管理装置１０１の外部に設けられる構成であってもよい。
【００５２】
車両側取得部１３は、充電対象車両２０２から電力消費に関する車両電力消費情報を取得する。具体的には、車両側取得部１３は、充電対象車両２０２から送信された車両電力消費情報を受信してユーザ情報作成部１６へ出力する。
【００５３】
図３は、本発明の実施の形態に係る電力消費管理システムにおける車両電力消費情報の一例を示す図である。
【００５４】
図３を参照して、車両電力消費情報は、たとえば、充電対象車両２０２の識別情報である車両ＩＤと、充電予定期間すなわち充電対象車両２０２の蓄電池が充電ステーションまたはユーザの自宅等において充電される期間と、充電対象車両２０２の充電予定エリアとの対応関係を示すテーブルである。
【００５５】
図３に示す車両電力消費情報は、車両ＩＤがａａａａの充電対象車両２０２が、月曜日から金曜日の９時から１７時３０分までの期間において、充電予定エリアｘｘｘｘにおいて充電される予定であり、また、月曜日から金曜日の１９時から翌朝の７時３０分までの期間において、充電予定エリアｙｙｙｙにおいて充電される予定であることを示している。たとえば、充電予定エリアｘｘｘｘは、充電対象車両２０２のユーザの職場近くの充電ステーションを含むエリアであり、充電予定エリアｙｙｙｙは、充電対象車両２０２のユーザの自宅を含むエリアである。
【００５６】
再び図２を参照して、ユーザ情報作成部１６は、車両側取得部１３から受けた車両電力消費情報に基づいて充電情報を作成し、作成した充電情報を記憶部１５に保存するか、または車両電力消費情報に基づいて、記憶部１５に保存されている充電情報を更新する。
【００５７】
充電情報は、たとえば、各充電対象車両２０２からの車両電力消費情報をまとめた内容に、充電対象車両２０２の車種、充電対象車両２０２のユーザの氏名および充電予定エリアの住所等を加えた情報である。
【００５８】
要請側取得部１１は、節電要請側からの節電要請を示す節電要請情報を取得する。具体的には、要請側取得部１１は、要請側管理装置２０１から送信された節電要請情報を受信して通知部１２へ出力する。
【００５９】
通知部１２は、要請側取得部１１によって節電要請情報が取得されると、充電対象車両２０２における電力消費の抑制を要求するための要求情報を充電対象車両２０２に通知する。
【００６０】
たとえば、通知部１２は、節電要請情報および充電情報に基づいて要求情報を作成する。具体的には、たとえば、通知部１２は、要請側取得部１１から節電要請情報を受けると、記憶部１５における充電情報を参照することにより、節電要請情報の示す節電期間において蓄電池の充電を行なう予定の充電対象車両２０２を検索し、検索した各充電対象車両２０２の全部または一部を選択する。たとえば、通知部１２は、節電期間における充電量の大きい充電対象車両２０２を節電要請先として選択する。
【００６１】
また、たとえば、通知部１２は、要請側取得部１１から節電期間および対象エリアを示す節電要請情報を受けると、記憶部１５における充電情報を参照することにより、節電要請情報の示す節電期間において、かつ節電要請情報の示す対象エリアにおいて蓄電池の充電を行なう予定の充電対象車両２０２を検索し、検索した各充電対象車両２０２の全部または一部を選択する。
【００６２】
通知部１２は、選択した充電対象車両２０２の車両ＩＤおよび節電期間を示す要求情報を作成する。
【００６３】
なお、通知部１２は、節電要請情報の内容に基づいて要求情報を作成する構成であるとしたが、これに限定するものではない。通知部１２は、要請側取得部１１によって節電要請情報が取得されると、所定内容の要求情報、たとえば、節電要請を単に示す要求情報を充電対象車両２０２に通知し、所定時間経過後に節電要請の解除を示す解除情報を充電対象車両２０２に通知する構成であってもよい。
【００６４】
図４は、本発明の実施の形態に係る電力消費管理システムにおける要求情報の一例を示す図である。
【００６５】
図４を参照して、要求情報は、たとえば、車両ＩＤと、節電期間との対応関係を示すテーブルである。
【００６６】
具体的には、図４に示す要求情報は、車両ＩＤがａａａａの充電対象車両２０２に対する２０１５年３月２日（月曜日）の１２時から１４時までの節電期間における節電要求を示している。
【００６７】
なお、通知部１２は、節電要請先とすべき充電対象車両２０２を選択する構成に限らず、たとえば要求情報をブロードキャストする構成であってもよい。
【００６８】
再び図２を参照して、車両側取得部１３は、通知部１２によって通知された要求情報に対する充電対象車両２０２からの応答情報を取得する。
【００６９】
より詳細には、車両側取得部１３は、充電対象車両２０２から、当該充電対象車両２０２が節電イベントに参加するか否か等の節電内容、および当該充電対象車両２０２の車両ＩＤを示す応答情報を取得する。また、応答情報の示す節電内容は、たとえば充電対象車両２０２の節電時間を含む。
【００７０】
車両側取得部１３は、充電対象車両２０２から送信された応答情報を受信して報告部１４へ出力する。
【００７１】
図５は、本発明の実施の形態に係る電力消費管理システムにおける応答情報の一例を示す図である。
【００７２】
図５を参照して、応答情報は、たとえば、車両ＩＤと、節電イベントへの参加意思と、節電期間における充電予定エリアと、節電イベントへの参加時間すなわち節電時間との対応関係を示すテーブルである。
【００７３】
図５は、５台の充電対象車両２０２からの応答情報をまとめて示している。具体的には、車両ＩＤがａａａａの充電対象車両２０２の応答情報は、当該充電対象車両２０２が節電イベントに参加する予定であり、充電予定エリアｘｘｘｘにおいて２時間節電する、すなわち充電予定であった２時間において充電を行なわずに節電することを示している。より具体的には、この応答情報は、充電対象車両２０２が、図４に示すように本来なら２０１５年３月２日の１２時から１４時までの期間は充電を行なう予定であったが、この予定を中止する旨を示している。
【００７４】
同様に、車両ＩＤがｂｂｂｂの充電対象車両２０２の応答情報は、当該充電対象車両２０２が節電イベントに参加する予定であり、充電予定エリアｙｙｙｙにおいて１時間節電することを示している。車両ＩＤがｃｃｃｃの充電対象車両２０２の応答情報は、当該充電対象車両２０２が節電イベントに参加する予定であり、充電予定エリアｚｚｚｚにおいて２時間節電することを示している。車両ＩＤがｄｄｄｄの充電対象車両２０２の応答情報は、当該充電対象車両２０２が節電イベントに参加する予定であり、充電予定エリアｘｘｘｘにおいて２時間節電することを示している。車両ＩＤがｅｅｅｅの充電対象車両２０２の応答情報は、当該充電対象車両２０２が節電イベントに参加しない予定であることを示している。
【００７５】
ここで、車両電力消費情報および応答情報における「充電予定エリア」は、たとえば、「Ｘ市Ｙ町３丁目」など、詳細な住所に対応する識別情報である。
【００７６】
再び図２を参照して、報告部１４は、車両側取得部１３によって応答情報が取得されると、要請側取得部１１によって取得された節電要請情報に対する報告情報であって、充電対象車両２０２の個別情報を含まない報告情報を節電要請側に通知する。
【００７７】
たとえば、通知部１２は、複数の充電対象車両２０２に要求情報を通知する。
【００７８】
報告部１４は、車両側取得部１３によって取得された各充電対象車両２０２からの応答情報の示す節電内容をまとめた節電内容を示す報告情報を節電要請側に通知する。
【００７９】
また、たとえば、充電対象車両２０２に通知される要求情報は節電期間を含む。充電対象車両２０２からの応答情報は、節電期間における当該充電対象車両２０２の位置を含む。
【００８０】
報告部１４は、充電対象車両２０２の個別情報として当該位置を含まない報告情報を節電要請側に通知する。
【００８１】
また、たとえば、報告部１４は、車両側取得部１３によって取得された各充電対象車両２０２からの応答情報の示す節電内容を所定の区域ごとにまとめた節電内容を示す報告情報を節電要請側に通知する。
【００８２】
より詳細には、たとえば、報告部１４は、車両側取得部１３から応答情報を受けると、記憶部１５における充電情報を参照することにより、応答情報の示す充電対象車両２０２の識別情報に基づいて充電対象車両２０２を特定し、特定結果、応答情報および充電情報に基づいて報告情報を作成する。
【００８３】
具体的には、報告部１４は、応答情報の示す車両ＩＤから充電対象車両２０２の車種を特定し、特定した車種、および応答情報の示す節電時間に基づいて、当該充電対象車両２０２で削減される予定の消費電力量すなわち節電予想量を算出する。そして、報告部１４は、応答情報の示す充電予定エリアに基づいて、節電要請側の管轄する発電エリアごとに各充電対象車両２０２の節電予想量の合計値を算出する。
【００８４】
なお、応答情報は、節電時間を含まなくてもよい。この場合、報告部１４は、たとえば、節電期間における所定割合の時間だけ充電対象車両２０２が充電を行なわなかったと仮定して節電予想量を算出する。
【００８５】
また、応答情報は、充電予定エリアを含まなくてもよい。この場合、報告部１４は、たとえば、充電情報から節電期間に対応する充電予定エリアを取得し、取得した充電予定エリアにおいて、充電対象車両２０２が充電を行なわなかったと仮定して節電予想量を算出する。
【００８６】
また、応答情報は、「普通充電」および「急速充電」等、充電対象車両２０２の充電種別を含んでもよい。この場合、報告部１４は、たとえば、充電対象車両２０２の車種、節電時間および充電種別に基づいて、当該充電対象車両２０２の節電予想量を算出する。
【００８７】
図６は、本発明の実施の形態に係る電力消費管理システムにおける報告情報の一例を示す図である。
【００８８】
図６を参照して、報告情報は、たとえば、節電要請側の管轄する発電エリアと、節電イベントにおける節電予想量との対応関係を示すテーブルである。
【００８９】
具体的には、図６に示す要求情報は、Ｘ市の節電予想量が２．５ＭＷｈであり、Ｙ市の節電予想量が１．２ＭＷｈであり、Ｚ市の節電予想量が１．３ＭＷｈであることを示している。Ｘ市、Ｙ市およびＺ市は、節電要請側の発電エリアの一単位である。なお、発電エリアは、このような単位に限らず、変電所単位で規定することも可能である。
【００９０】
再び図２を参照して、車両側取得部１３は、充電対象車両２０２から節電イベントへの参加結果を示す結果情報を取得する。具体的には、車両側取得部１３は、充電対象車両２０２から送信された結果情報を受信して報告部１４へ出力する。
【００９１】
なお、車両側取得部１３は、充電ステーション等、充電対象車両２０２以外の装置から結果情報を取得してもよい。
【００９２】
結果情報は、たとえば、車両ＩＤと、節電期間における充電エリアと、節電イベントへの参加時間すなわち節電時間との対応関係を示すテーブルである。
【００９３】
報告部１４は、車両側取得部１３から受けた各充電対象車両２０２からの結果情報に基づいて、発電エリアと節電量の合計値との対応関係を示す総合結果情報を作成して要請側管理装置２０１へ送信する。
【００９４】
たとえば、報告部１４は、車両側取得部１３から結果情報を受けると、記憶部１５における充電情報を参照することにより、総合結果情報を作成する。
【００９５】
具体的には、報告部１４は、結果情報の示す車両ＩＤから充電対象車両２０２の車種を特定し、特定した車種、および結果情報の示す節電時間に基づいて、当該充電対象車両２０２で削減された消費電力量すなわち節電量を算出する。そして、報告部１４は、結果情報の示す充電エリアに基づいて、節電要請側の管轄する発電エリアごとに各充電対象車両２０２の節電量の合計値を算出する。
【００９６】
要請側管理装置２０１は、たとえば、電力消費管理装置１０１から受信した総合結果情報に基づいて、前述のインセンティブ情報を作成して電力消費管理装置１０１へ送信する。
【００９７】
［動作］
次に、本発明の実施の形態に係る電力消費管理システムが電力消費の抑制を行なう際の動作について説明する。
【００９８】
電力消費管理システム３０１における各装置は、コンピュータを備え、当該コンピュータにおけるＣＰＵ等の演算処理部は、以下のシーケンス図またはフローチャートの各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【００９９】
図７は、本発明の実施の形態に係る電力消費管理装置による節電要請情報の処理の手順を定めたフローチャートである。
【０１００】
図７を参照して、まず、電力消費管理装置１０１は、充電対象車両２０２から車両電力消費情報を受信して（ステップＳ３０）、充電情報を作成して記憶部１５に保存するか、または記憶部１５における充電情報を更新する（ステップＳ３１）。
【０１０１】
電力消費管理装置１０１は、要請側管理装置２０１から節電要請情報を受信するまで（ステップＳ３２でＮＯ）、車両電力消費情報の受信および充電情報の更新を繰り返す（ステップＳ３０およびステップＳ３１）。なお、電力消費管理装置１０１は、節電要請情報を受信した後も、節電要請情報の処理と並行して車両電力消費情報の受信および充電情報の更新を行なってもよい。
【０１０２】
次に、電力消費管理装置１０１は、節電要請情報を要請側管理装置２０１から受信する（ステップＳ３２でＹＥＳ）。
【０１０３】
次に、電力消費管理装置１０１は、受信した節電要請情報に基づいて、節電要求先とすべき１または複数の充電対象車両２０２を選択し（ステップＳ３３）、要求情報を作成して、選択した各充電対象車両２０２へ送信する（ステップＳ３４）。
【０１０４】
次に、電力消費管理装置１０１は、すべての節電要求先の充電対象車両２０２から応答情報を受信するまで待機し（ステップＳ３５でＮＯ）、すべての節電要求先の充電対象車両２０２から応答情報を受信した場合（ステップＳ３５でＹＥＳ）、報告情報を作成して要請側管理装置２０１へ送信する（ステップＳ３６）。なお、電力消費管理装置１０１は、すべての節電要求先の充電対象車両２０２から応答情報を受信するまで待機する構成に限らず、所定時間が経過すると、タイムアウト処理として、応答情報が一部到着していない場合でも報告情報を作成して要請側管理装置２０１へ送信する構成であってもよい。
【０１０５】
次に、電力消費管理装置１０１は、すべての節電要求先から結果情報を受信するまで待機し（ステップＳ３７でＮＯ）、すべての節電要求先から結果情報を受信した場合（ステップＳ３７でＹＥＳ）、総合結果情報を作成して要請側管理装置２０１へ送信する（ステップＳ３８）。なお、電力消費管理装置１０１は、すべての節電要求先から結果情報を受信するまで待機する構成に限らず、所定時間が経過すると、タイムアウト処理として、結果情報が一部到着していない場合でも総合結果情報を作成して要請側管理装置２０１へ送信する構成であってもよい。
【０１０６】
図８は、本発明の実施の形態に係る電力消費管理システムにおける電力消費の抑制処理のシーケンスの一例を示す図である。図８は、一例として、電力消費管理システム３０１において２つの充電対象車両２０２である充電対象車両Ａ，Ｂが設けられる場合を示している。
【０１０７】
図８を参照して、まず、充電対象車両Ａ，Ｂは、定期的または不定期に、車両電力消費情報を作成して電力消費管理装置１０１へ送信する。電力消費管理装置１０１は、充電情報の作成または更新を行なう（ステップＳ１１，Ｓ１２）。
【０１０８】
次に、要請側管理装置２０１は、たとえば翌日の電力需要を予測し、電力需給が逼迫する可能性が高い場合、電力消費の抑制を行なうべきであると判断する。そして、要請側管理装置２０１は、節電要請情報を電力消費管理装置１０１へ送信する（ステップＳ１３）。
【０１０９】
次に、電力消費管理装置１０１は、要請側管理装置２０１から受信した節電要請情報に基づいて、電力需要施設３における電力消費の抑制を要求するための要求情報を作成し、作成した要求情報を充電対象車両Ａ，Ｂへ送信する（ステップＳ１４，Ｓ１５）。
【０１１０】
次に、充電対象車両２０２は、電力消費管理装置１０１から要求情報を受信して、受信した要求情報に基づいて、節電イベントに参加するか否かの判断処理を行なう。なお、この判断処理は、充電対象車両２０２のユーザが行い、判断結果を充電対象車両２０２における車載装置に入力してもよい。充電対象車両Ａ，Ｂは、要求情報に対する応答情報を作成して電力消費管理装置１０１へ送信する（ステップＳ１６，Ｓ１７）。
【０１１１】
次に、電力消費管理装置１０１は、充電対象車両Ａ，Ｂから応答情報を受信し、受信した各応答情報に基づいて報告情報を作成し、作成した報告情報を要請側管理装置２０１へ送信する（ステップＳ１８）。
【０１１２】
節電要請側では、要請側管理装置２０１が受信した報告情報に基づいて、たとえば、節電期間における総消費電力量の確認、および節電量が不足している場合の何らかの対処を講じることができる。
【０１１３】
次に、節電期間が終了し、充電対象車両Ａ，Ｂは、結果情報を作成して電力消費管理装置１０１へ送信する（ステップＳ１９，Ｓ２０）。
【０１１４】
次に、電力消費管理装置１０１は、充電対象車両Ａ，Ｂから結果情報を受信し、受信した各結果情報に基づいて総合結果情報を作成し、作成した総合結果情報を要請側管理装置２０１へ送信する（ステップＳ２１）。
【０１１５】
ところで、充電対象車両に対して予め節電要請を行なうシステムとして、優れたシステムを提供可能とする技術が望まれる。
【０１１６】
本発明の実施の形態に係る電力消費管理装置では、要請側取得部１１は、節電要請側からの節電要請を示す節電要請情報を取得する。通知部１２は、要請側取得部１１によって節電要請情報が取得されると、充電対象車両２０２における電力消費の抑制を要求するための要求情報を充電対象車両２０２に通知する。車両側取得部１３は、通知部１２によって通知された要求情報に対する充電対象車両２０２からの応答情報を取得する。そして、報告部１４は、車両側取得部１３によって応答情報が取得されると、要請側取得部１１によって取得された節電要請情報に対する報告情報であって、充電対象車両２０２の個別情報を含まない報告情報を節電要請側に通知する。
【０１１７】
このような構成により、電力消費管理装置１０１から要請側管理装置２０１へ提供される情報に、充電対象車両２０２の個別情報、たとえば充電対象車両２０２のユーザの個人情報、充電対象車両２０２の車種、および充電対象車両２０２の充電に関する情報等が含まれることを防ぐことができる。すなわち、充電対象車両２０２の個別情報を特定できないような報告情報を作成することにより、充電対象車両２０２に関する秘密保持を行いながら、必要な情報を節電要請側に伝えることができる。
【０１１８】
すなわち、電力消費管理装置１０１を運用する自動車会社等の事業者から要請側管理装置２０１を運用する電力会社等へ、充電対象車両２０２の個別情報を開示することなく、電力会社等からの節電要請を達成するとともに充電対象車両２０２の節電に関する報告を行なうことができる。
【０１１９】
したがって、本発明の実施の形態に係る電力消費管理装置では、充電対象車両に対して予め節電要請を行なうシステムとして、優れたシステムを提供することができる。
【０１２０】
また、本発明の実施の形態に係る電力消費管理装置では、通知部１２は、複数の充電対象車両２０２に要求情報を通知する。応答情報は、充電対象車両２０２の節電内容を含む。そして、報告部１４は、車両側取得部１３によって取得された各充電対象車両２０２からの応答情報の示す節電内容をまとめた節電内容を示す報告情報を節電要請側に通知する。
【０１２１】
このような構成により、複数の充電対象車両２０２に対して節電要請を行なった場合に、充電対象車両２０２に関する秘密保持を行いながら、電力消費管理装置１０１において節電予想量を集約して節電要請側に通知することができる。
【０１２２】
また、本発明の実施の形態に係る電力消費管理装置では、充電対象車両２０２に通知される要求情報は節電期間を含む。充電対象車両２０２からの応答情報は、節電期間における当該充電対象車両２０２の位置を含む。そして、報告部１４は、当該位置を含まない報告情報を節電要請側に通知する。
【０１２３】
このような構成により、電力消費管理装置１０１から要請側管理装置２０１に通知される情報に、充電対象車両２０２の個別情報として充電対象車両２０２の駐車場所および走行経路の情報等が含まれることを防ぐことができる。
【０１２４】
また、本発明の実施の形態に係る電力消費管理装置では、通知部１２は、複数の充電対象車両２０２に要求情報を通知する。報告部１４は、車両側取得部１３によって取得された各充電対象車両２０２からの応答情報の示す節電内容を所定の区域ごとにまとめた節電内容を示す報告情報を節電要請側に通知する。
【０１２５】
このような構成により、たとえば、充電対象車両２０２の充電予定エリアの情報を用いて、節電要請側の発電エリア単位の節電予想量を節電要請側に通知することができる。
【０１２６】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１２７】
以上の説明は、以下に付記する特徴を含む。
【０１２８】
［付記１］
蓄電池を備えており前記蓄電池に蓄えられた電気エネルギーを用いて走行可能な車両と通信可能な電力消費管理装置であって、
節電要請側からの節電要請を示す節電要請情報を取得する要請側取得部と、
前記要請側取得部によって前記節電要請情報が取得されると、前記車両における電力消費の抑制を要求するための要求情報を前記車両に通知する通知部と、
前記通知部によって通知された前記要求情報に対する前記車両からの応答情報を取得する車両側取得部とを備え、
前記応答情報は、前記車両の節電内容と、前記車両の識別情報とを含み、
前記電力消費管理装置は、さらに、
前記車両側取得部によって前記応答情報が取得されると、前記要請側取得部によって取得された前記節電要請情報に対する報告情報であって、前記車両の個別情報を含まない報告情報を前記節電要請側に通知する報告部を備え、
前記通知部は、前記節電要請情報に基づいて前記要求情報を作成し、
前記応答情報の示す節電内容は、前記車両の節電時間を含み、
前記報告部は、前記識別情報に基づいて前記車両を特定し、特定結果および前記節電時間に基づいて、前記車両の節電内容を示す前記報告情報を作成する、電力消費管理装置。
【符号の説明】
【０１２９】
１１  要請側取得部
１２  通知部
１３  車両側取得部
１４  報告部
１５  記憶部
１６  ユーザ情報作成部
１０１  電力消費管理装置
２０１  要請側管理装置
２０２  充電対象車両
３０１  電力消費管理システム
【図１】
0006472047.tif 000002
【図２】
0006472047.tif 000003
【図３】
0006472047.tif 000004
【図４】
0006472047.tif 000005
【図５】
0006472047.tif 000006
【図６】
0006472047.tif 000007
【図７】
0006472047.tif 000008
【図８】
0006472047.tif 000009